(57)【要約】  本発明は平面型プラズマ診断装置に関し、周波数が可変されるマイクロ波をプラズマに印加する送信アンテナ；前記プラズマから前記マイクロ波を受信する受信アンテナ；前記送信アンテナと前記受信アンテナが互いに絶縁されるように取り囲む胴体部；を含み、前記送信アンテナのマイクロ波を印加する上部面と前記受信アンテナのマイクロ波を受信する上部面が平面型であり、前記送信アンテナと前記受信アンテナの前記上部面の側面が互いに対向することを特徴とする。  【選択図】  図１
2021523549.tif 000002
【特許請求の範囲】
【請求項１】
平面型プラズマ診断装置において、
周波数が可変されるマイクロ波をプラズマに印加する送信アンテナ；
前記プラズマから前記マイクロ波を受信する受信アンテナ；
前記送信アンテナと前記受信アンテナが互いに絶縁されるように取り囲む胴体部；を含み、
前記送信アンテナのマイクロ波を印加する上部面と前記受信アンテナのマイクロ波を受信する上部面が平面型であり、前記送信アンテナと前記受信アンテナの前記上部面の側面が互いに対向することを特徴とする、平面型プラズマ診断装置。
【請求項２】
前記平面型送信アンテナと前記平面型受信アンテナの上部面は四角形であることを特徴とする、請求項１に記載の平面型プラズマ診断装置。
【請求項３】
前記平面型送信アンテナと前記平面型受信アンテナは前記胴体部内に互いに隣接して対向するように配置される直六面体状であることを特徴とする、請求項２に記載の平面型プラズマ診断装置。
【請求項４】
前記送信アンテナの前記上部面と前記受信アンテナの前記上部面の間隔（Ｄ）が１ｍｍ以上１５ｍｍ以下であることを特徴とする、請求項１に記載の平面型プラズマ診断装置。
【請求項５】
前記送信アンテナの上部面と前記受信アンテナの上部面に絶縁膜が形成されることを特徴とする、請求項１に記載の平面型プラズマ診断装置。
【請求項６】
前記上部面の縦の長さは前記上部面の横の長さより長く、前記送信アンテナの前記上部面の縦の長さと前記受信アンテナの前記上部面の縦の長さが互いに対向するように配置されることを特徴とする、請求項２に記載の平面型プラズマ診断装置。
【請求項７】
前記送信アンテナと前記受信アンテナの前記上部面の縦の長さは２ｍｍ以上３０ｍｍ以下であることを特徴とする、請求項６に記載の平面型プラズマ診断装置。
【請求項８】
前記送信アンテナと前記受信アンテナの前記上部面の横の長さは０．１ｍｍ以上１０ｍｍ以下であることを特徴とする、請求項７に記載の平面型プラズマ診断装置。
【請求項９】
前記送信アンテナまたは前記受信アンテナの前記上部面と対向する前記送信アンテナまたは前記受信アンテナの下部面を通じて超高周波を送信または受信するためのケーブルが連結されることを特徴とする、請求項１に記載の平面型プラズマ診断装置。
【請求項１０】
前記下部面の縦の長さの中心から前記縦の長さの１／４の範囲内で超高周波を送信または受信するための前記ケーブルが連結されることを特徴とする、請求項９に記載の平面型プラズマ診断装置。
【請求項１１】
平面型プラズマ診断装置において、
周波数が可変されるマイクロ波をプラズマに印加する送信アンテナ；
前記プラズマから前記マイクロ波を受信する受信アンテナ；
前記送信アンテナと前記受信アンテナが互いに絶縁されるように取り囲む胴体部；を含み、
前記送信アンテナのマイクロ波を印加する上部面と前記受信アンテナのマイクロ波を受信する上部面が半円の平面であり、前記送信アンテナと前記受信アンテナの前記上部面の弦が互いに対向することを特徴とする、平面型プラズマ診断装置。
【請求項１２】
前記送信アンテナと前記受信アンテナは前記胴体部内に互いに隣接して対向するように配置される半円柱の形状であることを特徴とする、請求項１１に記載の平面型プラズマ診断装置。
【請求項１３】
平面型プラズマ診断装置において、
周波数が可変されるマイクロ波をプラズマに印加する送信アンテナ；
プラズマから前記マイクロ波を受信する受信アンテナ；
前記送信アンテナと前記受信アンテナが互いに絶縁されるように取り囲む胴体部；を含み、
前記送信アンテナのマイクロ波を印加する上部面と前記受信アンテナのマイクロ波を受信する上部面が平面型であり、前記送信アンテナと前記受信アンテナの前記上部面の側面が互いに対向し、前記上部面から柱部が延びて形成されることを特徴とする、平面型プラズマ診断装置。
【請求項１４】
平面型プラズマ診断装置が埋め立てられたウエハー型プラズマ診断装置において、
前記平面型プラズマ診断装置は
周波数が可変されるマイクロ波をプラズマに印加する送信アンテナ；
前記プラズマから前記マイクロ波を受信する受信アンテナ；
前記送信アンテナと前記受信アンテナが互いに絶縁されるように取り囲む胴体部；を含み、
前記送信アンテナのマイクロ波を印加する上部面と前記受信アンテナのマイクロ波を受信する上部面が平面型であり、前記送信アンテナと前記受信アンテナの前記上部面の側面が互いに対向し、
少なくとも一つの前記平面型プラズマ診断装置が埋め立てられる円形部材を含むことを特徴とする、平面型プラズマ診断装置が埋め立てられたウエハー型プラズマ診断装置。
【請求項１５】
前記平面型プラズマ診断装置は前記円形部材の中心部または縁に埋め立てられることを特徴とする、請求項１４に記載の平面型プラズマ診断装置が埋め立てられたウエハー型プラズマ診断装置。
【請求項１６】
前記平面型プラズマ診断装置は前記円形部材に複数個が埋め立てられることを特徴とする、請求項１４に記載の平面型プラズマ診断装置が埋め立てられたウエハー型プラズマ診断装置。
【請求項１７】
前記平面型プラズマ診断装置は前記円形部材の中心部から放射状に複数個が埋め立てられることを特徴とする、請求項１６に記載の平面型プラズマ診断装置が埋め立てられたウエハー型プラズマ診断装置。
【請求項１８】
前記平面型プラズマ診断装置は前記円形部材に格子状または十字状に複数個が埋め立てられることを特徴とする、請求項１６に記載の平面型プラズマ診断装置が埋め立てられたウエハー型プラズマ診断装置。
【請求項１９】
前記複数個の平面型プラズマ診断装置に並列で連結されるスペクトル分析器をさらに含み、
前記スペクトル分析器は前記複数個の平面型プラズマ診断装置に連結される配線の長さが互いに異なることを特徴とする、請求項１６に記載の平面型プラズマ診断装置が埋め立てられたウエハー型プラズマ診断装置。
【請求項２０】
前記複数個の平面型プラズマ診断装置に連結されるスイッチング回路とスペクトル分析器をさらに含み、
前記スイッチング回路は前記複数個の平面型プラズマ診断装置を順次動作するようにして前記スペクトル分析器に連結されるようにすることを特徴とする、請求項１６に記載の平面型プラズマ診断装置が埋め立てられたウエハー型プラズマ診断装置。
【請求項２１】
平面型プラズマ診断装置が埋め立てられた静電チャックにおいて、
前記平面型プラズマ診断装置は
周波数が可変されるマイクロ波をプラズマに印加する送信アンテナ；
前記プラズマから前記マイクロ波を受信する受信アンテナ；
前記送信アンテナと前記受信アンテナが互いに絶縁されるように取り囲む胴体部；を含み、
前記送信アンテナのマイクロ波を印加する上部面と前記受信アンテナのマイクロ波を受信する上部面が平面型であり、前記送信アンテナと前記受信アンテナの前記上部面の側面が互いに対向し、
前記平面型プラズマ診断装置は前記静電チャックの表面の内部に埋め立てられることを特徴とする、平面型プラズマ診断装置が埋め立てられた静電チャック。
【請求項２２】
前記平面型プラズマ診断装置は前記静電チャックの中心部または縁に埋め立てられることを特徴とする、請求項２１に記載の平面型プラズマ診断装置が埋め立てられた静電チャック。
【請求項２３】
前記平面型プラズマ診断装置は複数個が埋め立てられることを特徴とする、請求項２１に記載の平面型プラズマ診断装置が埋め立てられた静電チャック。
【請求項２４】
前記平面型プラズマ診断装置は前記静電チャックの中心部から放射状に複数個が埋め立てられることを特徴とする、請求項２３に記載の平面型プラズマ診断装置が埋め立てられた静電チャック。
【請求項２５】
前記平面型プラズマ診断装置は格子状または十字状に複数個が埋め立てられることを特徴とする、請求項２３に記載の平面型プラズマ診断装置が埋め立てられた静電チャック。
【請求項２６】
前記複数個の平面型プラズマ診断装置に並列で連結されるスペクトル分析器をさらに含み、
前記スペクトル分析器は前記複数個の平面型プラズマ診断装置に連結される配線の長さが互いに異なることを特徴とする、請求項２３に記載の平面型プラズマ診断装置が埋め立てられた静電チャック。
【請求項２７】
前記複数個の平面型プラズマ診断装置に連結されるスイッチング回路とスペクトル分析器をさらに含み、
前記スイッチング回路は前記複数個の平面型プラズマ診断装置を順次動作するようにして前記スペクトル分析器に連結されるようにすることを特徴とする、請求項２３に記載の平面型プラズマ診断装置が埋め立てられた静電チャック。
【発明の詳細な説明】
【技術分野】
【０００１】
本発明は平面型プラズマ診断装置に関し、プラズマカットオフ周波数を測定するための超高周波送受信アンテナを平面型に形成して、カットオフ周波数からプラズマ密度を求めることができる平面型プラズマ診断装置を提供するためのものである。
【０００２】
また、本発明は平面型プラズマ診断装置が埋め立てられたウエハー型プラズマ診断装置に関し、プラズマカットオフ周波数を測定するための超高周波送受信アンテナを平面型に形成して、カットオフ周波数からプラズマ密度を求めることができる平面型プラズマ診断装置を円形部材に埋め立てて形成したウエハー型プラズマ診断装置を提供するためのものである。
【０００３】
また、本発明は平面型プラズマ診断装置が埋め立てられた静電チャックに関し、プラズマカットオフ周波数を測定するための超高周波送受信アンテナを平面型に形成して、カットオフ周波数からプラズマ密度を求めることができる平面型プラズマ診断装置を静電チャックに埋め立てて形成した平面型プラズマ診断装置が埋め立てられた静電チャックを提供するためのものである。
【背景技術】
【０００４】
プラズマの応用分野が多様に拡大するにつれてプラズマ診断技術の重要性もさらに大きくなっている。従来のプラズマを診断する方法として、静電探針をプラズマに挿入して電位を印加する方式は高い電位がプラズマを変化させることができるため、プラズマ密度のようなプラズマ変数を正確に測定し難いという問題点がある。
【０００５】
このような静電探針の問題点を解決するために、マイクロ波を利用したプラズマ診断方法としてカットオフ（ｃｕｔ−ｏｆｆ）プローブ方式が開発されたが、カットオフ（ｃｕｔ−ｏｆｆ）プローブは電磁波を放射するプローブと電磁波を受信するプローブを具備し、数百ＭＨｚ〜数十ＧＨｚ範囲のマイクロ波を使ってプラズマ密度を測定することができる。
【０００６】
マイクロ波の周波数がプラズマ周波数より小さい場合はマイクロ波はプラズマを通過することができず、マイクロ波の周波数がプラズマ周波数より大きい場合はマイクロ波はプラズマを通過することになるが、この地点での周波数をカットオフ周波数だといい、プラズマ密度はこのようなカットオフ周波数から求めることができる。
【０００７】
登録特許公報第１０−０４７３７９４号はアンテナ構造の周波数探針機を有する構造のプラズマ電子密度測定装置に関するものであって、図２２で棒状プローブの送受信アンテナの具体的な形状を図示しており、プラズマの内部に周波数探針機を挿入する方式であるためプラズマに対する構造的な干渉を誘発し得、探針の挿入による周辺のプラズマ密度の摂動により測定正確度が低いという問題点がある。
【０００８】
登録特許公報第１０−１２２５０１０号は棒状の放射アンテナとループ状の受信アンテナを有する超高周波プローブに関するものであって、図２３は棒状の放射アンテナとループ状の受信アンテナの具体的な形状を図示しており、受信アンテナをループ状にして受信率を高めているが、プラズマの内部に周波数探針機を挿入する方式であるためプラズマに対する構造的な干渉を誘発し得るという問題点がある。
【０００９】
公開特許公報第１０−２０１７−００６９６５２号は平面型リングタイプ超高周波プラズマ診断装置に関するものであって、図２４は平面型リングタイププラズマ診断装置の具体的な形状を図示しており、プラズマのカットオフ周波数を感知してプラズマ密度を測定するために、送信アンテナと受信アンテナを同心軸の構造で配置し、前記受信アンテナはリング状に形成されて送信アンテナを取り囲んでいる。ところが、このような平面型リングタイプ超高周波プラズマ診断装置は構造的特性に起因する共振信号によって信頼性のあるプラズマ密度の測定が難しいという問題点がある。
【００１０】
登録特許公報第１０−１７５６３２５号は平面型円錐タイプのプラズマ診断装置に関するものであって、図２５は平面型円錐タイプのプラズマ診断装置の具体的な形状を図示しており、プラズマのカットオフ周波数を感知してプラズマ密度を測定するために、送信アンテナと受信アンテナをそれぞれ円錐状に形成している。ところが、このような平面型円錐タイプカットオフプローブは透過信号の強度が非常に低いためプラズマ密度の測定が難しいという問題点がある。
【発明の概要】
【発明が解決しようとする課題】
【００１１】
本発明は前記問題点を解決するためのもので、送受信アンテナ間の容量性結合を増加させて構造的な干渉を防止し、透過信号の強度を強くすることによって、信頼性のあるプラズマの密度測定を可能にすることを目的とする。
【００１２】
また、本発明の他の目的は構造的特性に起因する共振信号を防止して信頼性のあるプラズマの密度測定を可能にすることである。
【００１３】
また、本発明の他の目的はプラズマ診断装置をウエハーの形態の円形部材に埋め立ててプラズマチャンバーの構造の変更を最小化してプラズマの密度測定を可能にすることである。
【００１４】
また、本発明の他の目的はプラズマ診断装置を静電チャックに埋め立ててプラズマ工程中にリアルタイムにプラズマの密度測定を可能にすることである。
【００１５】
また、本発明の他の目的はプラズマ診断装置を静電チャックに埋め立ててプラズマ工程中にリアルタイムにウエハー付近でのプラズマの密度測定を可能にすることである。
【００１６】
また、本発明の他の目的はプラズマ空間の均一度の測定を低費用で可能にすることである。
【００１７】
本発明が解決しようとする課題は前記目的にのみ制限せず、前記で明示的に示していない他の技術的課題は以下の本発明の構成および作用を通じて本発明が属する技術分野で通常の知識を有する者が容易に理解できるであろう。
【課題を解決するための手段】
【００１８】
本発明では、前記課題を解決するために以下の構成を含む。
【００１９】
本発明は平面型プラズマ診断装置に関し、周波数が可変されるマイクロ波をプラズマに印加する送信アンテナ；前記プラズマから前記マイクロ波を受信する受信アンテナ；前記送信アンテナと前記受信アンテナが互いに絶縁されるように取り囲む胴体部；を含み、前記送信アンテナのマイクロ波を印加する上部面と前記受信アンテナのマイクロ波を受信する上部面が平面型であり、前記送信アンテナと前記受信アンテナの前記上部面の側面が互いに対向することを特徴とする。
【００２０】
本発明の前記平面型送信アンテナと前記平面型受信アンテナの上部面は四角形であることを特徴とする。
【００２１】
本発明の前記平面型送信アンテナと前記平面型受信アンテナは前記胴体部内に互いに隣接して対向するように配置される直六面体状であることを特徴とする。
【００２２】
本発明の前記送信アンテナの前記上部面と前記受信アンテナの前記上部面の間隔Ｄが１ｍｍ以上１５ｍｍ以下であることを特徴とする。
【００２３】
本発明の前記送信アンテナの上部面と前記受信アンテナの上部面に絶縁膜が形成されることを特徴とする。
【００２４】
本発明の前記上部面の縦の長さは前記上部面の横の長さより長く、前記送信アンテナの前記上部面の縦の長さと前記受信アンテナの前記上部面の縦の長さが互いに対向するように配置されることを特徴とする。
【００２５】
本発明の前記送信アンテナと前記受信アンテナの前記上部面の縦の長さは２ｍｍ以上３０ｍｍ以下であることを特徴とする。
【００２６】
本発明の前記送信アンテナと前記受信アンテナの前記上部面の横の長さは０．１ｍｍ以上１０ｍｍ以下であることを特徴とする。
【００２７】
本発明の前記送信アンテナまたは前記受信アンテナの前記上部面と対向する前記送信アンテナまたは前記受信アンテナの下部面を通じて超高周波を送信または受信するためのケーブルが連結されることを特徴とする。
【００２８】
本発明の前記下部面の縦の長さの中心から前記縦の長さの１／４の範囲内で超高周波を送信または受信するための前記ケーブルが連結されることを特徴とする。
【００２９】
また、本発明は平面型プラズマ診断装置に関し、周波数が可変されるマイクロ波をプラズマに印加する送信アンテナ；前記プラズマから前記マイクロ波を受信する受信アンテナ；前記送信アンテナと前記受信アンテナが互いに絶縁されるように取り囲む胴体部；を含み、前記送信アンテナのマイクロ波を印加する上部面と前記受信アンテナのマイクロ波を受信する上部面が半円の平面であり、前記送信アンテナと前記受信アンテナの前記上部面の弦が互いに対向することを特徴とする。
【００３０】
本発明の前記送信アンテナと前記受信アンテナは前記胴体部内に互いに隣接して対向するように配置される半円柱の形状であることを特徴とする。
【００３１】
また、本発明は平面型プラズマ診断装置に関し、周波数が可変されるマイクロ波をプラズマに印加する送信アンテナ；プラズマから前記マイクロ波を受信する受信アンテナ；前記送信アンテナと前記受信アンテナが互いに絶縁されるように取り囲む胴体部；を含み、前記送信アンテナのマイクロ波を印加する上部面と前記受信アンテナのマイクロ波を受信する上部面が平面型であり、前記送信アンテナと前記受信アンテナの前記上部面の側面が互いに対向し、前記上部面から柱部が延びて形成されることを特徴とする。
【００３２】
また、平面型プラズマ診断装置が埋め立てられたウエハー型プラズマ診断装置に関し、前記平面型プラズマ診断装置は周波数が可変されるマイクロ波をプラズマに印加する送信アンテナ；前記プラズマから前記マイクロ波を受信する受信アンテナ；前記送信アンテナと前記受信アンテナが互いに絶縁されるように取り囲む胴体部；を含み、前記送信アンテナのマイクロ波を印加する上部面と前記受信アンテナのマイクロ波を受信する上部面が平面型であり、前記送信アンテナと前記受信アンテナの前記上部面の側面が互いに対向し、少なくとも一つの前記平面型プラズマ診断装置が埋め立てられる円形部材を含むことを特徴とする。
【００３３】
本発明の前記平面型プラズマ診断装置は前記円形部材の中心部または縁に埋め立てられることを特徴とする。
【００３４】
本発明の前記平面型プラズマ診断装置は前記円形部材に複数個が埋め立てられることを特徴とする。
【００３５】
本発明の前記平面型プラズマ診断装置は前記円形部材の中心部から放射状に複数個が埋め立てられることを特徴とする。
【００３６】
本発明の前記平面型プラズマ診断装置は前記円形部材に格子状または十字状に複数個が埋め立てられることを特徴とする。
【００３７】
本発明の前記複数個の平面型プラズマ診断装置に並列で連結されるスペクトル分析器をさらに含み、前記スペクトル分析器は前記複数個の平面型プラズマ診断装置に連結される配線の長さが互いに異なることを特徴とする。
【００３８】
本発明の前記複数個の平面型プラズマ診断装置に連結されるスイッチング回路とスペクトル分析器をさらに含み、前記スイッチング回路は前記複数個の平面型プラズマ診断装置を順次動作するようにして前記スペクトル分析器に連結されるようにすることを特徴とする。
【００３９】
また、本発明は平面型プラズマ診断装置が埋め立てられた静電チャックに関し、前記平面型プラズマ診断装置は周波数が可変されるマイクロ波をプラズマに印加する送信アンテナ；前記プラズマから前記マイクロ波を受信する受信アンテナ；前記送信アンテナと前記受信アンテナが互いに絶縁されるように取り囲む胴体部；を含み、前記送信アンテナのマイクロ波を印加する上部面と前記受信アンテナのマイクロ波を受信する上部面が平面型であり、前記送信アンテナと前記受信アンテナの前記上部面の側面が互いに対向し、前記平面型プラズマ診断装置は前記静電チャックの表面の内部に埋め立てられることを特徴とする。
【００４０】
本発明の前記平面型プラズマ診断装置は前記静電チャックの中心部または縁に埋め立てられることを特徴とする。
【００４１】
本発明の前記平面型プラズマ診断装置は前記静電チャックに複数個が埋め立てられることを特徴とする。
【００４２】
本発明の前記平面型プラズマ診断装置は前記静電チャックの中心部から放射状に複数個が埋め立てられることを特徴とする。
【００４３】
本発明の前記平面型プラズマ診断装置は格子状または十字状に複数個が埋め立てられることを特徴とする。
【００４４】
本発明の前記複数個の平面型プラズマ診断装置に並列で連結されるスペクトル分析器をさらに含み、前記スペクトル分析器は前記複数個の平面型プラズマ診断装置に連結される配線の長さが互いに異なることを特徴とする。
【００４５】
本発明の前記複数個の平面型プラズマ診断装置に連結されるスイッチング回路とスペクトル分析器をさらに含み、前記スイッチング回路は前記複数個の平面型プラズマ診断装置を順次動作するようにして前記スペクトル分析器に連結されるようにすることを特徴とする。
【発明の効果】
【００４６】
本発明は送受信アンテナ間の容量性結合を増加させて構造的な干渉を防止し、透過信号の強度を強くすることによって、信頼性のあるプラズマの密度測定が可能な効果がある。
【００４７】
また、本発明は構造的特性に起因する共振信号を防止して信頼性のあるプラズマの密度測定が可能な効果がある。
【００４８】
また、本発明はプラズマ診断装置をウエハーの形態の円形部材に埋め立ててプラズマチャンバーの構造の変更を最小化してプラズマの密度測定が可能な効果がある。
【００４９】
また、本発明はプラズマ診断装置を静電チャックに埋め立ててプラズマ工程中にリアルタイムにプラズマの密度測定が可能な効果がある。
【００５０】
また、本発明はプラズマ診断装置を静電チャックに埋め立ててプラズマ工程中にリアルタイムにウエハー付近でのプラズマの密度測定が可能な効果がある。
【００５１】
また、本発明はプラズマ空間の均一度の測定を低費用で可能な効果がある。
【００５２】
本発明による効果は前記効果にのみ制限せず、前記で明示的に示していない他の効果は以下の本発明の構成および作用を通じて本発明が属する技術分野で通常の知識を有する者が容易に理解できるであろう。
【図面の簡単な説明】
【００５３】
【図１】本発明の平面型プラズマ診断装置であって、（ａ）平面図、（ｂ）右側面図、（ｃ）下側面図を図示する。
【図２】本発明の平面型プラズマ診断装置の送受信アンテナの具体的な形状の一実施例を図示する。
【図３】本発明の平面型プラズマ診断装置であって、平面図と右側面図に具体的な数値符号を図示する。
【図４ａ】真空状態のプラズマチャンバー内で本発明と従来技術である平面型リングタイププラズマ診断装置の透過係数の周波数スペクトルを比較して図示する。
【図４ｂ】プラズマが生成されたプラズマチャンバー内で本発明と従来技術である平面型リングタイププラズマ診断装置の透過係数の周波数スペクトルを比較して図示する。
【図５】真空状態のプラズマチャンバー内で従来技術である平面型リングタイププラズマ診断装置の送受信アンテナの間隔Ｄによる透過係数の周波数スペクトルを図示する。
【図６】真空状態のプラズマチャンバー内で本発明の送受信アンテナの間隔Ｄによる透過係数の周波数スペクトルを図示する。
【図７】プラズマが生成されたプラズマチャンバー内で本発明の送受信アンテナの縦の長さＢによる透過係数の周波数スペクトルを図示する。
【図８】プラズマが生成されたプラズマチャンバー内で本発明の送受信アンテナパワー印加部位Ｃによる透過係数の周波数スペクトルを図示する。
【図９】本発明の平面型プラズマ診断装置の送受信アンテナの具体的な形状の他の一実施例を図示する。
【図１０】本発明の平面型プラズマ診断装置の送受信アンテナの具体的な形状のさらに他の一実施例を図示する。
【図１１】本発明の平面型プラズマ診断装置の送受信アンテナにスペクトル分析器が連結される構成を図示する。
【図１２】本発明の平面型プラズマ診断装置が埋め立てられたウエハー型プラズマ診断装置の一実施例を図示する。
【図１３】本発明の平面型プラズマ診断装置が埋め立てられたウエハー型プラズマ診断装置の他の一実施例を図示する。
【図１４】本発明の平面型プラズマ診断装置が放射状に埋め立てられたウエハー型プラズマ診断装置または静電チャックを図示する。
【図１５】本発明の平面型プラズマ診断装置が格子状または十字状に埋め立てられたウエハー型プラズマ診断装置または静電チャックを図示する。
【図１６】本発明の平面型プラズマ診断装置が埋め立てられた静電チャックの一実施例を図示する。
【図１７】本発明の平面型プラズマ診断装置が埋め立てられた静電チャックの他の一実施例を図示する。
【図１８】本発明の平面型プラズマ診断装置が埋め立てられた静電チャックのさらに他の一実施例を図示する。
【図１９】本発明の平面型プラズマ診断装置が埋め立てられた静電チャックのさらに他の一実施例を図示する。
【図２０】本発明の平面型プラズマ診断装置が埋め立てられた静電チャックのさらに他の一実施例を図示する。
【図２１】本発明の平面型プラズマ診断装置が埋め立てられた静電チャックのさらに他の一実施例を図示する。
【図２２】従来技術である棒状プローブの送受信アンテナの具体的な形状を図示する。
【図２３】従来技術である棒状の放射アンテナとループ状の受信アンテナの具体的な形状を図示する。
【図２４】従来技術である平面型リングタイププラズマ診断装置の具体的な形状を図示する。
【図２５】従来技術である平面型円錐タイププラズマ診断装置の具体的な形状を図示する。
【発明を実施するための形態】
【００５４】
以下、本発明の好ましい実施例に係る全体的な構成および作用について説明することにする。このような実施例は例示的なものであって、本発明の構成および作用を制限するものではなく、実施例で明示的に示していない他の構成および作用も以下の本発明の実施例を通じて、本発明が属する技術分野で通常の知識を有する者が容易に理解できる場合は本発明の技術的思想と言える。
【００５５】
以下、本発明の具体的な実施例に係る全体的な構成および動作について説明することにする。
【００５６】
図１は本発明の平面型プラズマ診断装置であって、（ａ）平面図、（ｂ）右側面図、（ｃ）下側面図を図示し、図２は本発明の平面型プラズマ診断装置の送受信アンテナの具体的な形状の一実施例を図示する。
【００５７】
図１を参照すると、本発明は平面型プラズマ診断装置に関し、周波数が可変されるマイクロ波をプラズマに印加する送信アンテナ２０、前記プラズマから前記マイクロ波を受信する受信アンテナ３０、前記送信アンテナ２０と前記受信アンテナ３０が互いに絶縁されるように取り囲む胴体部１０を含み、前記送信アンテナ２０のマイクロ波を印加する上部面と前記受信アンテナ３０のマイクロ波を受信する上部面が平面型であり、前記送信アンテナ２０と前記受信アンテナ３０の前記上部面の側面が互いに対向している。
【００５８】
したがって本発明では、送信アンテナ２０と前記受信アンテナ３０の側面が互いに対向するように配置されて容量性結合が増加するにつれて透過信号の強度が強くなり、プラズマチャンバーとプラズマ診断装置の構造的な共振特性による透過係数のピーク値が抽出されることを防止することができる。
【００５９】
図１の平面図には前記送信アンテナ２０の上部面と前記受信アンテナ３０の上部面が平面型で図示されており、右側面図には前記受信アンテナ３０の縦切断面が図示されており、下側面図には前記送信アンテナ２０と前記受信アンテナ３０の横切断面が図示されている。
【００６０】
また、下側面図には前記送信アンテナ２０の前記上部面と対向する前記送信アンテナ２０の下部面を通じて超高周波を送信するために連結されるケーブルが図示されており、右側面図と下側面図には前記受信アンテナ３０の前記上部面と対向する前記受信アンテナ３０の下部面を通じて超高周波を受信するために連結されるケーブルが図示されている。
【００６１】
図２を参照すると、前記平面型送信アンテナ２０と前記平面型受信アンテナ３０は前記胴体部１０内に互いに隣接して対向するように配置される直六面体状であり、前記平面型送信アンテナと前記平面型受信アンテナの上部面２１は四角形であり、下部面２２も四角形であり得る。また、前記送信アンテナ２０の上部面２１と前記受信アンテナ３０の上部面２１に絶縁膜が形成されてもよい。
【００６２】
図３は本発明の平面型プラズマ診断装置であって、平面図と右側面図に具体的な数値符号を図示する。
【００６３】
図３を参照すると、前記送信アンテナ２０の前記上部面２１と前記受信アンテナ３０の前記上部面２１の間隔Ｄが１ｍｍ以上１５ｍｍ以下であり、前記上部面２１の縦の長さＢは前記上部面２１の横の長さより長く、前記送信アンテナ２０の前記上部面２１の縦の長さＢと前記受信アンテナ３０の前記上部面２１の縦の長さＢが互いに対向するように配置される。
【００６４】
前記送信アンテナ２０の前記上部面２１の縦の長さＢと前記受信アンテナ３０の前記上部面２１の縦の長さＢは２ｍｍ以上３０ｍｍ以下であることが好ましく、前記送信アンテナ２０と前記受信アンテナ３０の前記上部面２１の横の長さＡは０．１ｍｍ以上１０ｍｍ以下であることが好ましい。
【００６５】
また、前記送信アンテナ２０と前記受信アンテナ３０の前記上部面２１と対向する前記送信アンテナ２０と前記受信アンテナ３０の下部面２２を通じて超高周波を送信または受信するためのケーブル４０が連結され、前記下部面２２の縦の長さＢの中心から前記縦の長さＢの１／４の範囲内で超高周波を送信または受信するための前記ケーブル４０が連結されることが好ましい。
【００６６】
半導体工程とディスプレイ工程条件でプラズマ密度は１×１０９ｃｍ−３〜５×１０１１ｃｍ−３であり、これに対応するカットオフ周波数は３００ＭＨｚ〜６ＧＨｚであるので、カットオフ周波数を抽出する時に該当領域でプラズマ診断装置の構造によるキャビティ（ｃａｖｉｔｙ）特性すなわち、プラズマチャンバーとプラズマ診断装置の構造的な共振特性によってカットオフ周波数の抽出が難しいため、信頼性のあるプラズマの密度測定も難しくなる。
【００６７】
図４ａは真空状態のプラズマチャンバー内で本発明と従来技術である平面型リングタイププラズマ診断装置の透過係数の周波数スペクトルを比較して図示し、図４ｂはプラズマが生成されたプラズマチャンバー内で本発明と従来技術である平面型リングタイププラズマ診断装置の透過係数の周波数スペクトルを比較して図示する。
【００６８】
図４ａを参照すると、プラズマが生成されていない真空状態のプラズマチャンバー内で、従来技術である平面型リングタイププラズマ診断装置の透過係数の周波数スペクトルでは１ＧＨｚ〜２ＧＨｚでプラズマチャンバーとプラズマ診断装置の構造的な共振特性によって透過係数のピーク値が抽出されているのに反して、本発明の透過係数の周波数スペクトルではプラズマチャンバーとプラズマ診断装置の構造的な共振特性による透過係数のピーク値が抽出されていない。
【００６９】
図４ｂを参照すると、プラズマが生成されるプラズマチャンバー内で、従来技術である平面型リングタイププラズマ診断装置の透過係数の周波数スペクトルでは１ＧＨｚ付近でカットオフ周波数を区分することが難しいのに反して、本発明の透過係数の周波数スペクトルでは０．５ＧＨｚ〜１ＧＨｚでカットオフ周波数が明確に抽出されている。
【００７０】
すなわち、本発明は従来技術である平面型リングタイププラズマ診断装置に比べてカットオフ周波数の抽出が容易であり、これに伴い、信頼性のあるプラズマの密度測定が行われ得る。
【００７１】
図５は真空状態のプラズマチャンバー内で従来技術である平面型リングタイププラズマ診断装置の送受信アンテナの間隔Ｄによる透過係数の周波数スペクトルを図示し、図６は真空状態のプラズマチャンバー内で本発明の送受信アンテナの間隔Ｄによる透過係数の周波数スペクトルを図示する。
【００７２】
図５を参照すると、従来技術である平面型リングタイププラズマ診断装置では、送受信アンテナの間隔Ｄが２ｍｍ、４ｍｍ、７ｍｍ、１５ｍｍに大きくなるにつれてプラズマチャンバーとプラズマ診断装置の構造的な共振特性による透過係数のピーク値の個数がより多く抽出されているところ、プラズマ周波数がこのような透過係数のピーク値付近に位置するとプラズマ周波数の抽出を難しくする。
【００７３】
図６を参照すると、本発明ではプラズマチャンバーとプラズマ診断装置の構造的な共振特性によって透過係数のピーク値が７ＧＨｚ付近である高い周波数領域にあり、送受信アンテナの間隔Ｄが２ｍｍ、４ｍｍ、７ｍｍ、１５ｍｍに大きくなるにつれてプラズマチャンバーとプラズマ診断装置の構造的な共振特性による透過係数のピーク値がかえってなくなっているところ、プラズマ周波数の抽出に影響を及ぼしていない。
【００７４】
したがって、本発明は従来技術である平面型リングタイププラズマ診断装置に比べてカットオフ周波数の抽出が容易であり、これに伴い、信頼性のあるプラズマの密度測定が行われ得る。
【００７５】
図７は、プラズマが生成されたプラズマチャンバー内で本発明の送受信アンテナの縦の長さＢによる透過係数の周波数スペクトルを図示する。
【００７６】
図７を参照すると、本発明ではプラズマが生成されたプラズマチャンバー内で透過係数のピーク値が２ＧＨｚで抽出されており、送受信アンテナの縦の長さＢが２ｍｍ、４ｍｍ、８ｍｍ、２０ｍｍ、３０ｍｍに長くなっても透過係数のピーク値が影響を受けず、６ＧＨｚより高い周波数領域でのみプラズマチャンバーとプラズマ診断装置の構造的な共振特性による透過係数のピーク値が抽出されているだけである。
【００７７】
ただし、送受信アンテナの縦の長さＢが３０ｍｍより長くなる場合、特に６０ｍｍである場合にはプラズマチャンバーとプラズマ診断装置の構造的な共振特性による透過係数のピーク値が６ＧＨｚより低い周波数領域でも多数個抽出されているので、本発明の送受信アンテナの縦の長さＢは３０ｍｍ以下であることが好ましく、前記送信アンテナ２０と前記受信アンテナ３０の前記上部面２１の横の長さＡは０．１ｍｍ以上１０ｍｍ以下であることが好ましい。
【００７８】
図８は、プラズマが生成されたプラズマチャンバー内で本発明のアンテナパワー印加部位Ｃによる透過係数の周波数スペクトルを図示する。
【００７９】
図８を参照すると、本発明のアンテナパワー印加部位Ｃに周波数スペクトル分析器からのケーブル４０が連結されて超高周波マイクロ波を送信し受信して周波数分析をすることになるが、前記ケーブル４０が送受信アンテナの下部面２２の中央部から逸脱すると、４ＧＨｚ〜５ＧＨｚ領域でプラズマチャンバーとプラズマ診断装置の構造的な共振特性による透過係数のピーク値が抽出されてプラズマ周波数の抽出を難しくする。
【００８０】
前記下部面２２の縦の長さＢが２０ｍｍである場合、前記下部面２２の縦の長さＢの中心から５ｍｍを逸脱して周波数スペクトル分析器からのケーブル４０が連結されると、プラズマチャンバーとプラズマ診断装置の構造的な共振特性による透過係数のピーク値が抽出されてプラズマ周波数の抽出を難しくするため、本発明のアンテナパワー印加部位Ｃは前記下部面２２の縦の長さＢが２０ｍｍである場合、前記下部面２２の縦の長さＢの中心から５ｍｍ以下の位置で周波数スペクトル分析器からのケーブル４０が連結されることが好ましい。すなわち、前記下部面２２の縦の長さＢの中心から前記下部面２２の縦の長さＢの１／４の範囲内で超高周波を送信または受信するための前記ケーブルが連結されることが好ましい。
【００８１】
図９は、本発明の平面型プラズマ診断装置の送受信アンテナの具体的な形状の他の一実施例を図示する。
【００８２】
図９を参照すると、前記送信アンテナ２０のマイクロ波を印加する上部面２１と前記受信アンテナ３０のマイクロ波を受信する上部面２１が半円の平面であり、前記送信アンテナ２０と前記受信アンテナ３０の前記上部面２１の弦が互いに対向する構造である。
【００８３】
胴体部１０が円形である場合、前記送信アンテナ２０と前記受信アンテナ３０の上部面２１を半円の平面で形成して前記送信アンテナ２０と前記受信アンテナ３０の上部面２１の面積をより一層広く形成して信号の強度をさらに大きくすることができ、前記送信アンテナ２０と前記受信アンテナ３０の半円の平面の弦が互いに対向するように配置されて容量性結合も増加し、透過信号の強度も強く維持され得る。
【００８４】
また、前記送信アンテナ２０と前記受信アンテナ３０は前記胴体部１０内に互いに隣接して対向するように配置される半円柱の形状であり得る。
【００８５】
図１０は、本発明の平面型プラズマ診断装置の送受信アンテナの具体的な形状のさらに他の一実施例を図示する。
【００８６】
図１０を参照すると、本発明の送信アンテナ２０または受信アンテナ３０の上部面２１は長方形の平面で形成し、前記上部面２１から下部面２２は柱部で形成して、前記上部面２１での容量性結合は大きく維持しつつ、前記送信アンテナ２０と前記受信アンテナ３０の製造費用を低減することができる。また、前記柱部の位置は前記上部面２１の中央部または縁に位置してもよい。
【００８７】
また、図面には図示していないが、前記送信アンテナ２０または前記受信アンテナ３０の上部面２１は半円の平面で形成し、前記上部面２１から下部面２２は柱部で形成して、前記上部面２１での容量性結合は大きく維持しつつ、前記送信アンテナ２０と前記受信アンテナ３０の製造費用を低減することができる。また、前記柱部の位置は前記上部面２１の中央部または縁に位置してもよい。
【００８８】
図１１は、本発明の平面型プラズマ診断装置の送受信アンテナにスペクトル分析器が連結される構成を図示する。
図１１を参照すると、本発明の送信アンテナ２０または受信アンテナ３０の下部面２２を通じて周波数スペクトル分析器５０からのケーブル４０が連結され、前記送信アンテナ２０は前記周波数スペクトル分析器５０からパワーが印加されて超高周波マイクロ波を送信し、前記送信アンテナ２０から送信した超高周波マイクロ波はプラズマ空間を経由した後、前記受信アンテナ３０で受信して前記周波数スペクトル分析器５０で周波数スペクトルを抽出して分析することになる。
【００８９】
図１２は、本発明の平面型プラズマ診断装置が埋め立てられたウエハー型プラズマ診断装置の一実施例を図示する。
図１２を参照すると、本発明の平面型プラズマ診断装置が埋め立てられたウエハー型プラズマ診断装置は、平面型プラズマ診断装置７０が円形部材８０の中心部または縁に埋め立てられて形成され、前記ウエハー型プラズマ診断装置は静電チャック上に置かれてスペクトル分析器５０に連結されてプラズマ空間の均一度を測定することになる。
【００９０】
前記ウエハー型プラズマ診断装置は既存のプラズマチャンバーに容易に適用可能であるため、既存のプラズマチャンバーの構造の変更を最小化しながらプラズマ診断が可能であるという効果がある。
【００９１】
図１３は、本発明の平面型プラズマ診断装置が埋め立てられたウエハー型プラズマ診断装置の他の一実施例を図示する。
図１３を参照すると、平面型プラズマ診断装置７０が円形部材８０の中心部または縁に埋め立てられて形成され、前記ウエハー型プラズマ診断装置は静電チャック上に置かれて一つのスペクトル分析器５０に並列で連結されて、プラズマ空間の均一度を測定することになる。これに伴い、高価なスペクトル分析器５０を効率的に使って複数の平面型プラズマ診断装置７０によるプラズマ空間の均一度の測定が低費用で可能となる。
【００９２】
前記スペクトル分析器５０は、前記複数個の平面型プラズマ診断装置７０に連結される配線の長さを互いに異なるように形成して、前記スペクトル分析器５０と前記複数個の平面型プラズマ診断装置７０の間で送受信される信号の時間差を区分してそれぞれの平面型プラズマ診断装置７０を作動させることができる。
【００９３】
また、前記スペクトル分析器５０と前記複数個の平面型プラズマ診断装置７０の間にスイッチング回路６０を具備して、スイッチング動作によって前記スペクトル分析器５０と前記複数個の平面型プラズマ診断装置７０の間で送受信される信号の時間差を区分して、それぞれの平面型プラズマ診断装置７０を作動させることができる。
【００９４】
また、送信のためには配線の長さの差を利用して区分し、受信のためにはスイッチング動作によって区分したり、その逆に送信のためにはスイッチング動作によって区分し、受信のためには配線の長さの差を利用して区分するようにして、それぞれの平面型プラズマ診断装置７０を作動させることができる。
【００９５】
図１４は本発明の平面型プラズマ診断装置が放射状に埋め立てられたウエハー型プラズマ診断装置を図示し、図１５は本発明の平面型プラズマ診断装置が格子状または十字状に埋め立てられたウエハー型プラズマ診断装置を図示する。
図１４と図１５を参照すると、複数個の平面型プラズマ診断装置７０が円形部材８０に多重で埋め立てられてプラズマ空間均一度をより精密に測定することができる。これに伴い、半導体工程でウエハーの中心から縁までプラズマ空間均一度を精密に測定することができ、ウエハーの歩留まりをより高めることができ、平面型プラズマ診断装置７０が円形部材８０に多重で埋め立てられても一つのスペクトル分析器５０に並列で連結されて分析が可能となる。
【００９６】
また、本発明の平面型プラズマ診断装置の送信アンテナ２０または受信アンテナ３０の下部面２２を通じて周波数スペクトル分析器５０からのケーブル４０を有線で連結する場合には、静電チャックの上面に端子を具備することが好ましい。
【００９７】
また、円形部材８０の内部に無線送受信装置を具備し、平面型プラズマ診断装置の送信アンテナ２０と受信アンテナ３０の信号を無線で周波数スペクトル分析器５０と連結されるようにしてもよい。ところで、このような無線連結でもプラズマ周波数の影響によって信号の伝達に困難があるが、平面型プラズマ診断装置の送信アンテナ２０と受信アンテナ３０は静電チャックの下部方向または静電チャックの水平方向を通じて無線信号を伝達したり伝達を受けることによって、プラズマ空間を避けて無線信号が伝達されるようにすることが好ましい。
【００９８】
また、円形部材８０の内部にメモリを追加的に具備して平面型プラズマ診断装置の送信アンテナ２０と受信アンテナ３０の信号を保存し、前記円形部材８０がプラズマチャンバーの外部に出てきたりプラズマ工程が止まる瞬間に前記メモリに保存された送信アンテナ２０と受信アンテナ３０の信号を読み出してもよい。
【００９９】
図１６は、本発明の平面型プラズマ診断装置が埋め立てられた静電チャックの一実施例を図示する。
図１６を参照すると、本発明の平面型プラズマ診断装置が埋め立てられた静電チャック９０は、平面型プラズマ診断装置７０が静電チャック９０の中心部に埋め立てられ、前記平面型プラズマ診断装置７０がスペクトル分析器５０に連結されて、プラズマ工程中にリアルタイムにウエハー中心部でプラズマ空間の均一度を測定することになる。
【０１００】
前記静電チャック９０はプラズマ工程中にもプラズマ空間の均一度を容易に測定することが可能であり、ウエハーが前記静電チャック９０の上に置かれている状態でもプラズマ空間の均一度を測定可能であるという効果がある。
【０１０１】
図１７は、本発明の平面型プラズマ診断装置が埋め立てられた静電チャックの他の一実施例を図示する。
図１７を参照すると、平面型プラズマ診断装置７０が静電チャック９０の中心部と縁の間に埋め立てられ、前記平面型プラズマ診断装置７０がスペクトル分析器５０に連結されて、プラズマ工程中にリアルタイムにウエハー中心部と縁でプラズマ空間の均一度を測定することになる。
【０１０２】
プラズマ工程でウエハー付近でのプラズマ密度がより重要に作用するため、ウエハー付近の重要地点でプラズマ空間の均一度を測定する必要がある。
【０１０３】
図１８は、本発明の平面型プラズマ診断装置が埋め立てられた静電チャックのさらに他の一実施例を図示する。
図１８を参照すると、平面型プラズマ診断装置７０が静電チャック９０の側面部に外側に向かうように埋め立てられ、前記平面型プラズマ診断装置７０がスペクトル分析器５０に連結されて、プラズマ工程中にリアルタイムにプラズマチャンバー内の全体的なプラズマ空間の均一度を測定することになる。
【０１０４】
図１９、図２０は、本発明の平面型プラズマ診断装置が埋め立てられた静電チャックのさらに他の一実施例を図示する。
【０１０５】
図１９を参照すると、平面型プラズマ診断装置７０が静電チャック９０の縁に埋め立てられ、前記平面型プラズマ診断装置７０がスペクトル分析器５０に連結されて、ウエハーの縁でプラズマ工程中にリアルタイムにプラズマ空間の均一度を測定することになる。
【０１０６】
図２０を参照すると、平面型プラズマ診断装置７０が静電チャック９０の縁に多重で埋め立てられ、前記平面型プラズマ診断装置７０がスペクトル分析器５０に連結されて、ウエハーの縁でプラズマ工程中にリアルタイムにプラズマ空間の均一度を測定することになる。最近ウエハーの縁での不良率を低減して半導体チップの形成歩留まりをより高めようとしているため、ウエハーの縁でのプラズマの密度測定がさらに重要である。
【０１０７】
図２１は、本発明の平面型プラズマ診断装置が埋め立てられた静電チャックのさらに他の一実施例を図示する。
【０１０８】
図２１を参照すると、平面型プラズマ診断装置７０が静電チャック９０の中心部と縁に埋め立てられて形成され、前記平面型プラズマ診断装置７０は一つのスペクトル分析器５０に並列で連結されて、プラズマ空間の対称が破れる場合にも位置によって均一度を測定することになる。これに伴い、高価なスペクトル分析器５０を効率的に使って複数の平面型プラズマ診断装置７０によるプラズマ空間の均一度の測定が低費用で可能となる。
【０１０９】
前記スペクトル分析器５０は前記複数個の平面型プラズマ診断装置７０に連結される配線の長さを互いに異なるように形成して、前記スペクトル分析器５０と前記複数個の平面型プラズマ診断装置７０の間で送受信される信号の時間差を区分してそれぞれの平面型プラズマ診断装置７０を作動させることができる。
【０１１０】
また、前記スペクトル分析器５０と前記複数個の平面型プラズマ診断装置７０の間にスイッチング回路６０を具備して、スイッチング動作によって前記スペクトル分析器５０と前記複数個の平面型プラズマ診断装置７０の間で送受信される信号の時間差を区分してそれぞれの平面型プラズマ診断装置７０を作動させることができる。
【０１１１】
また、送信のためには配線の長さの差を利用して区分し、受信のためにはスイッチング動作によって区分したり、その逆に送信のためにはスイッチング動作によって区分し、受信のためには配線の長さの差を利用して区分するようにして、それぞれの平面型プラズマ診断装置７０を作動させることができる。
【０１１２】
図１４は本発明の平面型プラズマ診断装置が放射状に埋め立てられた静電チャックを図示し、図１５は本発明の平面型プラズマ診断装置が格子状または十字状に埋め立てられた静電チャックを図示することができる。
【０１１３】
図１４と図１５を参照すると、複数個の平面型プラズマ診断装置７０が静電チャック９０に多重で埋め立てられて、プラズマ工程中にリアルタイムにプラズマ空間均一度をより精密に測定することができる。これに伴い、半導体工程でウエハーの中心から縁までプラズマ空間の対称が破れる場合にも位置により均一度を精密に測定することができ、ウエハーの歩留まりをより高めることができ、平面型プラズマ診断装置７０が静電チャック９０に多重で埋め立てられても一つのスペクトル分析器５０に並列で連結されて分析が可能となる。
【図１（ａ）】
2021523549.tif 000003
【図１（ｂ）】
2021523549.tif 000004
【図１（ｃ）】
2021523549.tif 000005
【図２】
2021523549.tif 000006
【図３】
2021523549.tif 000007
【図４ａ】
2021523549.tif 000008
【図４ｂ】
2021523549.tif 000009
【図５（ａ）】
2021523549.tif 000010
【図５（ｂ）】
2021523549.tif 000011
【図５（ｃ）】
2021523549.tif 000012
【図５（ｄ）】
2021523549.tif 000013
【図６（ａ）】
2021523549.tif 000014
【図６（ｂ）】
2021523549.tif 000015
【図６（ｃ）】
2021523549.tif 000016
【図６（ｄ）】
2021523549.tif 000017
【図７（ａ）】
2021523549.tif 000018
【図７（ｂ）】
2021523549.tif 000019
【図７（ｃ）】
2021523549.tif 000020
【図７（ｄ）】
2021523549.tif 000021
【図７（ｅ）】
2021523549.tif 000022
【図７（ｆ）】
2021523549.tif 000023
【図８】
2021523549.tif 000024
【図９】
2021523549.tif 000025
【図１０】
2021523549.tif 000026
【図１１】
2021523549.tif 000027
【図１２】
2021523549.tif 000028
【図１３】
2021523549.tif 000029
【図１４】
2021523549.tif 000030
【図１５】
2021523549.tif 000031
【図１６】
2021523549.tif 000032
【図１７】
2021523549.tif 000033
【図１８】
2021523549.tif 000034
【図１９】
2021523549.tif 000035
【図２０】
2021523549.tif 000036
【図２１】
2021523549.tif 000037
【図２２（ａ）】
2021523549.tif 000038
【図２２（ｂ）】
2021523549.tif 000039
【図２３（ａ）】
2021523549.tif 000040
【図２３（ｂ）】
2021523549.tif 000041
【図２４（ａ）】
2021523549.tif 000042
【図２４（ｂ）】
2021523549.tif 000043
【図２４（ｃ）】
2021523549.tif 000044
【図２５（ａ）】
2021523549.tif 000045
【図２５（ｂ）】
2021523549.tif 000046
【図２５（ｃ）】
2021523549.tif 000047
【国際調査報告】
2021523549.tif 000048
2021523549.tif 000049
2021523549.tif 000050
2021523549.tif 000051